(57)【要約】【課題】  ループ状刃を加熱するとともに、打ち抜いた製品や打ち抜きカスの良好な跳ね出しを行うことで製品の打ち抜き面を良好にする。【解決手段】  ループ状刃の内側に複数の扁平ピン穴が形成された打ち抜き刃鋼板と、各扁平ピン穴にそれぞれ設置された扁平スプリングピン１２１、および、内側跳ね出し板１２２からなる跳ね出しユニット１２と、打ち抜き刃鋼板の裏面側に設けられた熱源鉄板１３と、熱源鉄板１３の打ち抜き刃鋼板に接する側とは反対側の面に設けられ、当該熱源鉄板と接する側にリング状溝が形成された断熱ボード１４と、リング状溝に埋設された誘導加熱用コイル１５とを備え、誘導加熱用コイル１５に通電しつつ打ち抜きを行う。【選択図】  図１
2012176462.tif 000002
【特許請求の範囲】
【請求項１】
削り出しによりループ状刃が表面に形成され、前記ループ状刃の内側または外側に複数の扁平ピン穴が形成された打ち抜き刃鋼板と、
前記各扁平ピン穴にそれぞれ設置された扁平スプリングピン、および、外側輪郭が前記ループ状刃の内側に沿うように形成された内側跳ね出し板または内側輪郭が前記ループ状刃の外側に沿うように形成された外側跳ね出し板からなる跳ね出しユニットと、
前記打ち抜き刃鋼板の裏面側に設けられた熱源鉄板と、
前記熱源鉄板の前記打ち抜き刃鋼板に接する側とは反対側の面に設けられ、当該熱源鉄板と接する側にリング状溝が形成された断熱ボードと、
前記リング状溝に埋設された誘導加熱用コイルと、
を備え、前記誘導加熱用コイルに通電しつつ打ち抜きを行うことを特徴とする打ち抜き型。
【請求項２】
削り出しによりループ状刃が表面に形成され、前記ループ状刃の内側および外側に複数の扁平ピン穴がそれぞれ形成された打ち抜き刃鋼板と、
前記各扁平ピン穴にそれぞれ設置された扁平スプリングピン、外側輪郭が前記ループ状刃の内側に沿うように形成された内側跳ね出し板、および内側輪郭が前記ループ状刃の外側に沿うように形成された外側跳ね出し板からなる跳ね出しユニットと、
前記打ち抜き刃鋼板の裏面側に設けられた熱源鉄板と、
前記熱源鉄板の前記打ち抜き刃鋼板に接する側とは反対側の面に設けられ、当該熱源鉄板と接する側にリング状溝が形成された断熱ボードと、
前記リング状溝に埋設された誘導加熱用コイルと、
を備え、前記誘導加熱用コイルに通電しつつ打ち抜きを行うことを特徴とする打ち抜き型。
【請求項３】
削り出しによりループ状刃が表面に形成され、前記ループ状刃の内側または外側に複数の扁平スプリング穴が形成された打ち抜き刃鋼板と、
前記各扁平スプリング穴にそれぞれ設置された扁平スプリング、および、外側輪郭が前記ループ状刃の内側に沿うように形成された内側跳ね出し板または内側輪郭が前記ループ状刃の外側に沿うように形成された外側跳ね出し板からなる跳ね出しユニットと、
輪郭が前記ループ状刃の内側に沿うように形成された内側跳ね出し板または内側輪郭が前記ループ状刃の外側に沿うように形成された外側跳ね出し板からなる跳ね出しユニットと、
前記打ち抜き刃鋼板の裏面側に設けられた熱源鉄板と、
前記熱源鉄板の前記打ち抜き刃鋼板に接する側とは反対側の面に設けられ、当該熱源鉄板と接する側にリング状溝が形成された断熱ボードと、
前記リング状溝に埋設された誘導加熱用コイルと、
を備え、前記誘導加熱用コイルに通電しつつ打ち抜きを行うことを特徴とする打ち抜き型。
【請求項４】
削り出しによりループ状刃が表面に形成され、前記ループ状刃の内側および外側に複数の扁平スプリング穴がそれぞれ形成された打ち抜き刃鋼板と、
前記各扁平スプリング穴にそれぞれ設置された扁平スプリング、外側輪郭が前記ループ状刃の内側に沿うように形成された内側跳ね出し板、および内側輪郭が前記ループ状刃の外側に沿うように形成された外側跳ね出し板からなる跳ね出しユニットと、
前記打ち抜き刃鋼板の裏面側に設けられた熱源鉄板と、
前記熱源鉄板の前記打ち抜き刃鋼板に接する側とは反対側の面に設けられ、当該熱源鉄板と接する側にリング状溝が形成された断熱ボードと、
前記リング状溝に埋設された誘導加熱用コイルと、
を備え、前記誘導加熱用コイルに通電しつつ打ち抜きを行うことを特徴とする打ち抜き型。
【請求項５】
請求項１から請求項４の何れかに記載の打ち抜き型を使用した温度制御システムであって、
前記打ち抜き型には前記打ち抜き刃鋼板の温度を検出する温度センサが設けられ、前記温度センサからの信号に基づき、前記誘導加熱用コイルに供給する電力を制御することを特徴とする打ち抜き型の温度制御システム。
【発明の詳細な説明】
【技術分野】
【０００１】
本発明は、上下定盤間に配置された打ち抜き対象物を打ち抜くために使用されるヒータ付の打ち抜き型、この打ち抜き型を用いた抜き型温度制御システムに関し、ループ状刃を加熱するとともに、打ち抜いた製品や打ち抜きカスの良好な跳ね出しを行うことで製品の打ち抜き面を良好にすることができる技術に関する。
【背景技術】
【０００２】
従来、打ち抜き型を用いて、アクリル等の打ち抜き対象物を打ち抜く場合に、打ち抜いた製品にクラック（びび）が生じることがある。この不都合を解消するために、打ち抜き型をヒータにより加熱し、打ち抜き型自体を、たとえば、７０・〜１２０・程度まで加熱することがある（特許文献１）。
【先行技術文献】
【特許文献】
【０００３】
【特許文献１】特許２０１０−２０１６０８
【発明の開示】
【発明が解決しようとする課題】
【０００４】
この打ち抜き技術では、打ち抜いた製品や打ち抜きカスを、打ち抜き型から離脱するのに、耐熱ゴムを使用しているが、これらの良好な跳ね出しができないという問題がある。
【０００５】
本発明の目的は、ループ状刃を加熱するとともに、打ち抜いた製品や打ち抜きカスの良好な跳ね出しを行うことで製品の打ち抜き面を良好にすることである。
【課題を解決するための手段】
【０００６】
本発明は、（１）から（５）を要旨とする。
（１）
削り出しによりループ状刃が表面に形成され、前記ループ状刃の内側または外側に複数の扁平ピン穴（または扁平ピン孔）が形成された打ち抜き刃鋼板と、
前記各扁平ピン穴にそれぞれ設置された扁平スプリングピン、および、外側輪郭が前記ループ状刃の内側に沿うように形成された内側跳ね出し板または内側輪郭が前記ループ状刃の外側に沿うように形成された外側跳ね出し板からなる跳ね出しユニットと、
前記打ち抜き刃鋼板の裏面側に設けられた熱源鉄板と、
前記熱源鉄板の前記打ち抜き刃鋼板に接する側とは反対側の面に設けられ、当該熱源鉄板と接する側にリング状溝が形成された断熱ボードと、
前記リング状溝に埋設された誘導加熱用コイルと、
を備え、前記誘導加熱用コイルに通電しつつ打ち抜きを行うことを特徴とする打ち抜き型。
【０００７】
（２）
削り出しによりループ状刃が表面に形成され、前記ループ状刃の内側および外側に複数の扁平ピン穴（または扁平ピン孔）がそれぞれ形成された打ち抜き刃鋼板と、
前記各扁平ピン穴にそれぞれ設置された扁平スプリングピン、外側輪郭が前記ループ状刃の内側に沿うように形成された内側跳ね出し板、および内側輪郭が前記ループ状刃の外側に沿うように形成された外側跳ね出し板からなる跳ね出しユニットと、
前記打ち抜き刃鋼板の裏面側に設けられた熱源鉄板と、
前記熱源鉄板の前記打ち抜き刃鋼板に接する側とは反対側の面に設けられ、当該熱源鉄板と接する側にリング状溝が形成された断熱ボードと、
前記リング状溝に埋設された誘導加熱用コイルと、
を備え、前記誘導加熱用コイルに通電しつつ打ち抜きを行うことを特徴とする打ち抜き型。
【０００８】
（３）
削り出しによりループ状刃が表面に形成され、前記ループ状刃の内側または外側に複数の扁平スプリング穴（または扁平スプリング孔）が形成された打ち抜き刃鋼板と、
前記各扁平スプリング穴にそれぞれ設置された扁平スプリング、および、外側輪郭が前記ループ状刃の内側に沿うように形成された内側跳ね出し板または内側輪郭が前記ループ状刃の外側に沿うように形成された外側跳ね出し板からなる跳ね出しユニットと、
輪郭が前記ループ状刃の内側に沿うように形成された内側跳ね出し板または内側輪郭が前記ループ状刃の外側に沿うように形成された外側跳ね出し板からなる跳ね出しユニットと、
前記打ち抜き刃鋼板の裏面側に設けられた熱源鉄板と、
前記熱源鉄板の前記打ち抜き刃鋼板に接する側とは反対側の面に設けられ、当該熱源鉄板と接する側にリング状溝が形成された断熱ボードと、
前記リング状溝に埋設された誘導加熱用コイルと、
を備え、前記誘導加熱用コイルに通電しつつ打ち抜きを行うことを特徴とする打ち抜き型。
【０００９】
（４）
削り出しによりループ状刃が表面に形成され、前記ループ状刃の内側および外側に複数の扁平スプリング穴（または扁平スプリング孔）がそれぞれ形成された打ち抜き刃鋼板と、
前記各扁平スプリング穴にそれぞれ設置された扁平スプリング、外側輪郭が前記ループ状刃の内側に沿うように形成された内側跳ね出し板、および内側輪郭が前記ループ状刃の外側に沿うように形成された外側跳ね出し板からなる跳ね出しユニットと、
前記打ち抜き刃鋼板の裏面側に設けられた熱源鉄板と、
前記熱源鉄板の前記打ち抜き刃鋼板に接する側とは反対側の面に設けられ、当該熱源鉄板と接する側にリング状溝が形成された断熱ボードと、
前記リング状溝に埋設された誘導加熱用コイルと、
を備え、前記誘導加熱用コイルに通電しつつ打ち抜きを行うことを特徴とする打ち抜き型。
【００１０】
（５）
（１）から（４）の何れかに記載の打ち抜き型を使用した温度制御システムであって、
前記打ち抜き型には前記打ち抜き刃鋼板の温度を検出する温度センサが設けられ、前記温度センサからの信号に基づき、前記誘導加熱用コイルに供給する電力を制御することを特徴とする打ち抜き型の温度制御システム。
【発明の効果】
【００１１】
ループ状刃を加熱するとともに、打ち抜き対象物の良好な跳ね出しを行うことで対象物の打ち抜き面を良好にすることができる。
【図面の簡単な説明】
【００１２】
【図１】本発明の一実施形態の説明図であり、（Ａ）は本発明の打ち抜き型を示す平面図、（Ｂ）は本発明の打ち抜き型を示す断面図である。
【図２】打ち抜き型が、下定盤に載置され、上定盤と下定盤との間に配置された打ち抜き対象物が打ち抜かれる様子を示す図である。
【図３】扁平スプリングピンの詳細を示す説明図である。
【図４】（Ａ）は無負荷時の内側跳ね出し板の位置を示す図、（Ｂ）は負荷が加えられたときの内側跳ね出し板の位置を示す図である。
【図５】本発明の打ち抜き型の温度制御システムの概略を示す説明図である。
【図６】本発明の他の実施形態の説明図であり、（Ａ）は本発明の打ち抜き型を示す平面図、（Ｂ）は本発明の打ち抜き型を示す断面図である。
【図７】図１および図６に示した実施形態において、熱源鉄板の露出部分を断熱ボードで被覆した例を示す図である。
【図８】取り付けビスの位置が規格化されている打ち抜き刃鋼板が交換可能な、他の構成の打ち抜き刃鋼板を使用した打ち抜き型を示す図である。
【図９】扁平スプリングを使用した跳ね出し機構を示す説明図である。
【発明を実施するための形態】
【００１３】
本発明の一実施形態を説明する。
図１（Ａ）は本発明の打ち抜き型１を示す平面図、図１（Ｂ）は本発明の打ち抜き型１を示す断面図である。本実施形態では、図２に示すように、打ち抜き型１Ａは、下定盤９２に載置されており、上定盤９１（図では、刃先保護用シートが９１が取り付けられている）と下定盤９２との間に配置された打ち抜き対象物Ｏは、上定盤９１を下降することで打ち抜かれる。図示しない他の実施形態では、打ち抜き型１Ａを、上定盤９１に載置して打ち抜きを行うこともできる。
【００１４】
図１（Ａ），（Ｂ）において打ち抜き型１Ａは、打ち抜き刃鋼板１１と、跳ね出しユニット１２と、熱源鉄板１３と、断熱ボード１４と、誘導加熱用コイル１５とを備えている。
【００１５】
打ち抜き刃鋼板１１は、ループ状刃１１１が削り出しにより表面に形成されており、ループ状刃１１１の内側に複数の扁平ピン穴１１２が形成されている。
【００１６】
跳ね出しユニット１２は、扁平ピン穴１１２にそれぞれ設置された扁平スプリングピン１２１、および外側輪郭がループ状刃１１１の内側に沿うように形成された内側跳ね出し板１２２からなる。
【００１７】
扁平スプリングピン１２１は、図３に示すように、シリンダ１２１１と、ピストン１２１２と、コイルスプリング１２１３と、押さえ板１２１４とを備えている。内側跳ね出し板１２２は、シリンダ１２１１に固着されており、無負荷時には、図４（Ａ）に示すように、内側跳ね出し板１２２の表面はループ状刃１１１の刃先よりも上側に位置している。負荷が加えられたときには、図４（Ｂ）に示すように、内側跳ね出し板１２２の表面はループ状刃１１１の刃先よりも下側に位置する。
【００１８】
熱源鉄板１３は、打ち抜き刃鋼板１１の裏面側に設けられている。
断熱ボード１４は、熱源鉄板１３の打ち抜き刃鋼板１１に接する側とは反対側の面に設けられ、当該打ち抜き刃鋼板１１と接する側にリング状溝が形成されている。
誘導加熱用コイル１５は、リング状溝に埋設されている。
誘導加熱用コイルに通電しつつ、上定盤９１を下降することで、打ち抜きが行われる。
【００１９】
本発明の打ち抜き型の温度制御システムの概略を示す説明図である。図５において、制御装置３１は、打ち抜き刃鋼板１１に埋設された温度センサ３３からの信号を受け取り、フィードバック制御により高周波電源３４を駆動している。
【００２０】
本発明の他の実施形態を説明する。図６（Ａ）は本発明の打ち抜き型１Ｂを示す平面図、図６（Ｂ）は本発明の打ち抜き型１を示す断面図である。
【００２１】
図６（Ａ），（Ｂ）において打ち抜き型１Ｂは、打ち抜き型１Ａと同様、打ち抜き刃鋼板１１と、跳ね出しユニット１２と、熱源鉄板１３と、断熱ボード１４と、誘導加熱用コイル１５とを備えている。
【００２２】
打ち抜き刃鋼板１１は、ループ状刃１１１が削り出しにより表面に形成されており、ループ状刃１１１の内側に複数の扁平ピン穴１１２が形成され、ループ状刃１１１の外側に複数の扁平ピン穴１１３が形成されている。
【００２３】
跳ね出しユニット１２は、扁平ピン穴１１２，１１３にそれぞれ設置された扁平スプリングピン１２１，１２３、外側輪郭がループ状刃１１１の内側に沿うように形成された内側跳ね出し板１２２、および内側輪郭がループ状刃１１１の外側に沿うように形成された外側跳ね出し板１２４からなる。
【００２４】
熱源鉄板１３は、打ち抜き刃鋼板１１の裏面側に設けられている。
断熱ボード１４は、熱源鉄板１３の打ち抜き刃鋼板１１に接する側とは反対側の面に設けられ、当該熱源鉄板１３と接する側にリング状溝が形成されている。
誘導加熱用コイル１５は、リング状溝に埋設されている。
誘導加熱用コイルに通電しつつ、上定盤９１を下降することで、打ち抜きが行われる。
図６の実施形態では、ループ状刃１１１の外側の打ち抜き品（不要品である抜きカス）を跳ね出すことができる。
【００２５】
図１および図６に示した打ち抜き型の実施形態において、熱源鉄板１３の露出している部分を断熱体１６で被覆することができる。図７（Ａ），（Ｂ）は、熱源鉄板１３の露出部分を断熱体１６で被覆した打ち抜き型１Ａ′，１Ｂ′を示す図である。
【００２６】
本発明の打ち抜き型では、取り付けビスの位置を合わせておけば、打ち抜き刃鋼板を交換することで、図８に示すような他の構成の打ち抜き刃鋼板を適用することができる。
【００２７】
上記の実施形態では、図９に示すように、扁平スプリングピン１２１，１２３に代えて、扁平スプリング１２７を使用することができる。
【符号の説明】
【００２８】
１Ａ，１Ａ′，１Ｂ，１Ｂ′    抜き型
１１    抜き刃鋼板
１２    跳ね出しユニット
１３    熱源鉄板
１４    断熱ボード
１５    誘導加熱用コイル
１６    断熱体
９１    上定盤
９２    下定盤
１１１  ループ状刃
１１２，１１３  扁平ピン穴
１２１  扁平スプリングピン
１２２，１２４  跳ね出し出し板
１２４  跳ね出し出し板
１２１１  シリンダ
１２１２  ピストン
１２１３  コイルスプリング
１２１４  押さえ板
Ｏ      抜き対象物
【図１】
2012176462.tif 000003
【図２】
2012176462.tif 000004
【図３】
2012176462.tif 000005
【図４】
2012176462.tif 000006
【図５】
2012176462.tif 000007
【図６】
2012176462.tif 000008
【図７】
2012176462.tif 000009
【図８】
2012176462.tif 000010
【図９】
2012176462.tif 000011